(57)【要約】    【課題】      着信先の電話機が使用中であった場合、それ以降はＣＡサーバーが次の回線へ切り替えるスライドを繰り返さないようにすること。    【解決手段】  複数の電話機を回線接続可能な回線Ｉ／Ｆ回路１１３−１，１１３−２と、ＩＰ電話におけるネットワークホストの役目を行うＣＡサーバー１１が配置されたＩＰ網との間の通信を制御するＷＡＮ側ネットワーク制御部１０５と、ＣＡサーバー１１と連携したトランザクション制御にて前記電話機によるＩＰ網経由の通話を実現するＶｏＩＰ制御部１０６とを具備したＩＰ電話ゲートウェイ装置１００において、ＣＡサーバー１１からＩＮＶＩＴＥを受信すると着信先の電話機に対して呼出しを行い、当該電話機が使用中であった場合はＣＡサーバー１１に対して４８０／６０６をレスポンスする。  【選択図】      図３
2005236916.tif 000002
【特許請求の範囲】
【請求項１】
複数の電話機を回線接続可能な回線インターフェース手段と、ＩＰ電話におけるネットワークホストの役目を行うサーバーが配置されたＩＰ網との間の通信を制御するネットワーク制御手段と、前記サーバーと連携したトランザクション制御にて前記電話機によるＩＰ網経由の通話を実現するＶｏＩＰ制御手段とを具備し、前記ＶｏＩＰ制御手段は、前記サーバーからトランザクション開始リクエストを受信すると着信先の電話機に対して呼出しを行い、当該電話機が使用中であった場合はサーバーにおいて次回線へのスライドを生じさせず、且つ着信は受けられないことを通知可能なレスポンスを送信するＩＰ電話ゲートウェイ装置。
【請求項２】
前記ＶｏＩＰ制御手段が、着信先の電話機が使用中であったときにサーバーに送信するレスポンスは、ＲＦＣ２５４３，３２６１に定められた４８０Ｔｅｍｐｏｒａｒｉｌｙ  Ｕｎａｖａｉｌａｂｌｅ、又は６０６Ｎｏｔ  Ａｃｃｅｐｔａｂｌｅであることを特徴とする請求項１記載のＩＰ電話ゲートウェイ装置。
【請求項３】
前記ＶｏＩＰ制御手段は、前記サーバーからトランザクション開始リクエストを受信した際に、前記回線インターフェース手段の全回線が使用中であった場合、サーバーにおいて次回線へのスライドを生じさせるレスポンスを送信することを特徴とする請求項１記載のＩＰ電話ゲートウェイ装置。
【請求項４】
前記ＶｏＩＰ制御手段が、前記回線インターフェース手段の全回線が使用中であった場合、サーバーに送信するレスポンスは、ＲＦＣ２５４３，３２６１に定められた４８６Ｂｕｓｙであることを特徴とする請求項３記載のＩＰ電話ゲートウェイ装置。
【請求項５】
加入者側に併設した複数のＩＰ電話ゲートウェイ装置からなるＩＰ電話システムであって、いずれか１台のＩＰ電話ゲートウェイ装置を親回線とし、他のＩＰ電話ゲートウェイ装置を子回線とした回線構成をＩＰ網上のサーバーに予め登録し、前記各ＩＰ電話ゲートウェイ装置として請求項１から請求項４のいずれかに記載のＩＰ電話ゲートウェイ装置を用いることを特徴とするＩＰ電話システム。
【請求項６】
ＩＰ網上に配置されＩＰ電話におけるネットワークホストの役目を行うサーバーから着トランザクション開始リクエストを受信し、電話機に接続する回線に空きがあればその回線を使用して着信先の電話機の呼出しを行い、着信先の電話機が使用中であればサーバーにおいて次回線へのスライドを生じさせず、且つ着信は受けられないことを通知可能なレスポンスを送信することを特徴とする着信方法。
【発明の詳細な説明】
【技術分野】
【０００１】
本発明は、ＩＰ電話機能を持たない電話機をＩＰ網経由で通信（通話を含む）可能にするＩＰ電話ゲートウェイ装置に関する。
【背景技術】
【０００２】
ＩＰ電話機能を持たない既存の電話機から通信事業者の提供するＩＰ電話サービスを利用する場合、ＩＰ電話ゲートウェイ装置を用いることができる。１台のＩＰ電話ゲートウェイ装置に対して複数台の電話機を接続可能に構成している（例えば特許文献１参照）。発信者からの発呼を、通信事業者等の運営するＣＡサーバー（コール・エージェントサーバ；プロキシサーバーおよび登録サーバーを含む）からＩＰ網経由でＩＰ電話ゲートウェイ装置に通知し、ＳＩＰ（Session Initiation Protocol）等の通信制御プロトコルに従ってＩＰ網上で呼設定が実現される。
【０００３】
ところで、１台のＩＰ電話ゲートウェイ装置が同時に接続可能な回線数には制限がある。１台で同時接続可能な回線数を超えた数の電話機（内線電話等）で通話可能にするためにはＩＰ電話ゲートウェイ装置を複数台併設する必要がある。
【０００４】
図８は、ＩＰ電話ゲートウェイ装置とＣＡサーバーとの運用構成を示している。１つのＩＰ電話ゲートウェイ装置１０−１を親回線とし、残りのＩＰ電話ゲートウェイ装置１０−２…１０−ｎを子回線とする回線構成を構築している。ＣＡサーバー１１に対して回線構成を予め登録している。ＣＡサーバー１１は、最初に親回線として登録してあるＩＰ電話ゲートウェイ装置１０−１に対して着信を知らせる。親回線として登録してあるＩＰ電話ゲートウェイ装置１０−１の回線が空いていれば、着信先の電話機を呼出すことになる。しかし、当該ＩＰ電話ゲートウェイ装置１０−１の全回線が使用中であれば、子回線にスライドして呼設定することになる。
【０００５】
図９，１０に親回線から子回線にスライドして空き回線を使用する場合のシーケンスを示す。図９は親回線又は子回線が全回線使用中のシーケンスを示す。発信者から着信があると、ＣＡサーバー１１から親回線のＩＰ電話ゲートウェイ装置１０−１にリクエスト（ＩＮＶＩＴＥ）が送られる。ＩＰ電話ゲートウェイ装置１０−１はＩＮＶＩＴＥに対してレスポンス（１００Ｔｒｙｉｎｇ）を返すが、全回線使用中であればビジー状態であることを示すレスポンス（４８６Ｂｕｓｙ）を返す。なお、ＣＡサーバー１１とＩＰ電話ゲートウェイ装置１０−１との間で交換されるリクエスト及びレスポンスはＲＦＣ２５４３，３２６１に定められた信号に基づくものとする。
【０００６】
ＣＡサーバー１１は、ＩＰ電話ゲートウェイ装置１０−１からビジー状態であることを示すレスポンス（４８６Ｂｕｓｙ）を受信した場合、親回線と子回線の回線構成であれば、子回線１のＩＰ電話ゲートウェイ装置１０−２にリクエスト（ＩＮＶＩＴＥ）を送る。子回線１のＩＰ電話ゲートウェイ装置１０−２に空き回線がれば、当該ＩＰ電話ゲートウェイ装置１０−２から主装置（ＰＢＸ）１２を介して着信先の電話機が呼出される。
【０００７】
また、図１０に示すように、親回線のＩＰ電話ゲートウェイ装置１０−１に空き回線があり、主装置（ＰＢＸ）１２を介して着信先の電話機が呼出された場合であっても、該当電話機が使用中の場合もあり得る。この場合は、主装置（ＰＢＸ）１２から受信完了信号を受けることなくタイムアウトする。ＩＰ電話ゲートウェイ装置１０−１は、タイムアウトが発生した場合も全回線使用中の場合と同じレスポンス（４８６Ｂｕｓｙ）を返す。
【０００８】
したがって、ＣＡサーバー１１は、着信先の電話機が使用中の場合であっても、レスポンス（４８６Ｂｕｓｙ）を受け取ると、次の子回線のＩＰ電話ゲートウェイ装置１０−２にリクエスト（ＩＮＶＩＴＥ）を送ることとなる。
【特許文献１】特開平１０−３２７１９５号公報
【発明の開示】
【発明が解決しようとする課題】
【０００９】
しかしながら、着信先の電話機が使用中の場合、上記スライドを繰り返したとしても、スライド先の子回線でタイムアウトが発生して結局呼確立は不成功に終わるので、ＣＡサーバー、ＩＰ電話ゲートウェイ装置及び主装置（ＰＢＸ）共に無駄な処理を繰り返すという問題がある。またＩＰ網上に無駄なＩＰパケットが流れ、ＩＰ網が混雑する原因にもなる。
【００１０】
本発明は、以上のような実情に鑑みてなされたもので、着信先の電話機が使用中であった場合、それ以降はＣＡサーバーが次の回線へ切り替えるスライドを繰り返さないようにしたＩＰ電話ゲートウェイ装置を提供することを目的とする。
【課題を解決するための手段】
【００１１】
本発明は、ＩＰ網上に配置されＩＰ電話におけるネットワークホストの役目を行うサーバーからトランザクション開始リクエストを受信し、電話機に接続する回線に空きがあればその回線を使用して着信先の電話機の呼出しを行い、着信先の電話機が使用中であればサーバーにおいて次回線へのスライドを生じさせず、且つ着信は受けられないことを通知可能なレスポンスを送信するものとした。
【発明の効果】
【００１２】
本発明によれば、着信先の電話機が使用中であった場合、それ以降はＣＡサーバーが次の回線へ切り替えるスライドを繰り返さないようにしたＩＰ電話ゲートウェイ装置を提供できる。
【発明を実施するための最良の形態】
【００１３】
本発明の第１の態様は、複数の電話機を回線接続可能な回線インターフェース手段と、ＩＰ電話におけるネットワークホストの役目を行うサーバーが配置されたＩＰ網との間の通信を制御するネットワーク制御手段と、前記サーバーと連携したトランザクション制御にて前記電話機によるＩＰ網経由の通話を実現するＶｏＩＰ制御手段とを具備し、前記ＶｏＩＰ制御手段は、前記サーバーからトランザクション開始リクエストを受信すると着信先の電話機に対して呼出しを行い、当該電話機が使用中であった場合はサーバーにおいて次回線へのスライドを生じさせず、且つ着信は受けられないことを通知可能なレスポンスを送信するＩＰ電話ゲートウェイ装置である。
【００１４】
このように構成されたＩＰ電話ゲートウェイ装置によれば、着信先の電話機が使用中であった場合はサーバーにおいて次回線へのスライドを生じさせず、且つ着信は受けられないことを通知可能なレスポンスを送信するので、着信先の電話機が使用中であった場合、それ以降はＣＡサーバーが次の回線へ切り替えるスライドを繰り返さないようにすることができる。
【００１５】
なお、着信先の電話機が使用中であったときにサーバーに送信するレスポンスとして、ＲＦＣ２５４３，３２６１に定められた４８０Ｔｅｍｐｏｒａｒｉｌｙ  Ｕｎａｖａｉｌａｂｌｅ、又は６０６Ｎｏｔ  Ａｃｃｅｐｔａｂｌｅを用いることができる。
【００１６】
本発明の第２の態様は、第１の態様のＩＰ電話ゲートウェイ装置において、前記ＶｏＩＰ制御手段は、前記サーバーからトランザクション開始リクエストを受信した際に、前記回線インターフェース手段の全回線が使用中であった場合、サーバーにおいて次回線へのスライドを生じさせるレスポンスを送信するものである。
【００１７】
これにより、着信先の電話機が使用中であることが確認されるまでは、回線インターフェース手段の全回線が使用中であれば、次回線へスライドさせることができ自動的に空き回線を使用して着信させることができる。
【００１８】
なお、回線インターフェース手段の全回線が使用中であった場合にサーバーに送信するレスポンスは、ＲＦＣ２５４３，３２６１に定められた４８６Ｂｕｓｙを用いることができる。
【００１９】
本発明の第３の態様は、加入者側に併設した複数のＩＰ電話ゲートウェイ装置からなるＩＰ電話システムであって、いずれか１台のＩＰ電話ゲートウェイ装置を親回線とし、他のＩＰ電話ゲートウェイ装置を子回線とした回線構成をＩＰ網上のサーバーに予め登録し、前記各ＩＰ電話ゲートウェイ装置として上記態様のＩＰ電話ゲートウェイ装置を用いることを特徴とするＩＰ電話システムである。
【００２０】
本発明の第４の態様は、ＩＰ網上に配置されＩＰ電話におけるネットワークホストの役目を行うサーバーからトランザクション開始リクエストを受信し、電話機に接続する回線に空きがあればその回線を使用して着信先の電話機の呼出しを行い、着信先の電話機が使用中であればサーバーにおいて次回線へのスライドを生じさせず、且つ着信は受けられないことを通知可能なレスポンスを送信することを特徴とする着信方法である。
【００２１】
以下、本発明の一実施の形態であるＩＰ電話ゲートウェイ装置について図面を参照して具体的に説明する。なお、本実施の形態のＩＰ電話ゲートウェイ装置は図８に示すシステム構成に適用されるものとして説明するが、図８の従来のＩＰ電話ゲートウェイ装置１０−１，１０−２、…、１０−ｎに換えて、本実施の形態のＩＰ電話ゲートウェイ装置を用いるものとする。
【００２２】
図１は、本実施の形態に係るＩＰ電話ゲートウェイ装置１００の機能ブロック図である。電話制御部１０１は、ＩＰ電話ゲートウェイ装置に接続したアナログ通信機器（アナログ電話機、ファックス、主装置（ＰＢＸ）、ビジネスホン）の電話制御を行う部分である。ＰＳＴＮ回線制御部１０２は、ＰＳＴＮとの間で回線制御を行う部分である。本例では、ＩＰ電話ゲートウェイ装置１００が１回線だけ直接ＰＳＴＮに接続しているものとする。ＩＰ／ＰＳＴＮ切替え部１０３は、電話機がＩＰ網に接続するのかＰＳＴＮに接続するのかを判断して、切り替える部分である。ＬＡＮ側ネットワーク制御部１０４は、ＬＡＮとのインターフェースをとる部分である。ＷＡＮ側ネットワーク制御部１０５は、ＩＰ網側となるＷＡＮとのインターフェースをとる部分である。本例では、ＩＰ電話ゲートウェイ装置１００をローカル側となるＬＡＮに接続可能にしている。また、ＩＰ電話ゲートウェイ装置１００をＡＤＳＬ回線又は光ファイバ回線にてＷＡＮ側となるＩＰ網に接続している。ＶｏＩＰ制御部１０６は、ＳＩＰに基づいたトランザクション制御並びに音声のパケット化等の音声データをインターネットに流すための処理を行っている部分である。サーバー部１０７は、ＤＨＣＰ等のプロトコルに基づいて動作し、例えばＬＡＮ側に接続している端末のアドレス管理等を行う部分である。ＩＰ／ＰＰＰ処理部１０８は、ＬＡＮ及びＷＡＮ（インターネット／イントラネット等）通信で必要なＩＰ及びＰＰＰに関するプロトコル処理を行う部分である。
【００２３】
図２は、以上の機能構成を有するＩＰ電話ゲートウェイ装置１００のハードウエア構成図である。ＣＰＵ／ＤＳＰ１１０に対して内部バスを介してＲＯＭ１１１，ＲＡＭ１１２が接続され、さらに回線Ｉ／Ｆ回路１１３−１，１１３−２、ＮＣＵ（ＤＡＡ）１１４が接続されている。ＣＰＵ／ＤＳＰ１１０は、ＲＯＭ１１１に格納しているプログラムに基づいて後述するＳＩＰインターフェース制御を実行する。また、必要に応じてＲＡＭ１１２を作業用エリアとして使用する。回線Ｉ／Ｆ回路１１３−１、１１３−２は、アナログ通信機器（アナログ電話機、ファックス、主装置（ＰＢＸ）、ビジネスホン）が接続されるポートをそれぞれ２回線備えており、全部で４回線接続可能に構成されている。すなわち、本例では、１台のＩＰ電話ゲートウェイ装置１００で４回線確保していて、同時に４台の電話機（内線）を外線接続可能になっている。なお、同時に接続可能な回線数は適宜設計変更可能である。ＮＣＵ（ＤＡＡ）１１４は、図１におけるＰＳＴＮ回線制御部１０２のハードウエア部分である。図１におけるＶｏＩＰ制御部１０６の音声パケット化に関する処理は、ＣＰＵ／ＤＳＰ１１０のＤＳＰ部分で一部ハードウエア化している。
【００２４】
次に、以上のように構成したＩＰ電話ゲートウェイ装置１００のダイヤルイン時の動作について説明する。
【００２５】
図３は、ＩＰ電話ゲートウェイ装置１００のダイヤルイン時の制御フロー図である。ステップＳ１００からステップＳ１０７は、着信先の電話機が使用中でなく、且つスライドも起きなかった場合での流れである。図４のシーケンスを参照しながら説明する。
【００２６】
発信者側のＩＰ電話ゲートウェイ装置は、発信者から相手先ダイヤルがあると、ＣＡサーバー１１に対してＩＮＶＩＴＥを送る。図５はＩＮＶＩＴＥの記述例である。ＩＮＶＩＴＥには「xxxyyyzzz」という相手先の電話番号と「aaabbbccc」という発信者の電話番号が含まれる。ＣＡサーバー１１は発信側のＩＰ電話ゲートウェイ装置に対してレスポンス（１００Ｔｒｙｉｎｇ）を返し、さらに発信側のＩＰ電話ゲートウェイ装置に対して認証を要求する４０７Ｐｒｏｘｙ Ａｕｔｈｅｎｔｉｃａｔｉｏｎ Ｒｅｑｕｉｒｅｄを通知する。
【００２７】
発信者側のＩＰ電話ゲートウェイ装置は、ＣＡサーバー１１に対してＡＣＫを返した後、４０７Ｐｒｏｘｙ Ａｕｔｈｅｎｔｉｃａｔｉｏｎ Ｒｅｑｕｉｒｅｄで受信した暗号キーを元にアカント情報をデコードした認証ヘッダ付のトランザクション開始リクエストとなるＩＮＶＩＴＥを送信する。ＣＡサーバー１１は、発信者側のＩＰ電話ゲートウェイ装置から受信したＩＮＶＩＴＥを受け付けると、発信者側のＩＰ電話ゲートウェイ装置に対してはレスポンス（１００Ｔｒｙｉｎｇ）を返し、認証が正しければ、着信側のＩＰ電話ゲートウェイ装置１００に対して図５に示すＩＮＶＩＴＥを送信する。
【００２８】
着信側のＩＰ電話ゲートウェイ装置１００は、ＣＡサーバー１１から発信者側のＩＰ電話ゲートウェイ装置が発したＩＮＶＩＴＥを受信することにより、着信発生を検出する（Ｓ１００）。着信側のＩＰ電話ゲートウェイ装置１００は、着信発生を検出した場合は、ＣＡサーバー１１に対してレスポンス（１００Ｔｒｙｉｎｇ）を返す（Ｓ１０１）。そして、ＩＰ電話ゲートウェイ装置１００内に使用可能回線があるか否か判断する（Ｓ１０２）。図２に示す例では、２つの回線Ｉ／Ｆ回路１１３−１，１１３−２で合計４回線使用可能であるが、この４回線中に空き回線があれば使用可能回線有りと判断する。
【００２９】
ＩＰ電話ゲートウェイ装置１００は、使用可能回線がある場合、その回線を使用して着信者（電話機）に対して呼出信号（ＩＲ／ＣＡＲ）を送信する（Ｓ１０３）。この呼出信号に対して、着信者（電話機）は使用中であっても一次応答を返してくる。ＩＰ電話ゲートウェイ装置１００は、一次応答を検出したら（Ｓ１０４）、ＭＯＤＥＭ／ＰＢ信号を着信者（電話機側）に送出する（Ｓ１０５）。着信者（電話機側）は使用中でなければ、ＭＯＤＥＭ／ＰＢ信号に対して受信完了信号を返信する。ＩＰ電話ゲートウェイ装置１００は、受信完了信号を受信すれば（Ｓ１０６）、ダイヤルイン着信の処理を完了する（Ｓ１０７）。
【００３０】
図４に示すように、ＩＰ電話ゲートウェイ装置１００から着信者（電話機）に対する着信要求はＲＩＮＧ鳴動させることによって行われる。着信者（電話機側）に着信要求している間は、１８０ＲｉｎｇｉｎｇをＣＡサーバー１１へ送信し、ＣＡサーバー１１から発信側のＩＰ電話ゲートウェイ装置へ転送される。発信側のＩＰ電話ゲートウェイ装置から発信者（電話機）に対してリングバックトーン（ＲＢＴ）として送信される。
【００３１】
着信者（電話機）が、着信要求のタイムアウト前にオフフックすれば、着信側のＩＰ電話ゲートウェイ装置１００からＣＡサーバー１１へ２００ＯＫが返信され、ＣＡサーバー１１から発信側のＩＰ電話ゲートウェイ装置へ２００ＯＫが転送される。そして、発信側のＩＰ電話ゲートウェイ装置から発したＡＣＫを着信側のＩＰ電話ゲートウェイ装置１００が受信して通話が開始する。
【００３２】
どちらか一方がオンフックすることにより終話処理が行われる。図４の例では発信側がオンフックしている。オンフックを検知した発信側のＩＰ電話ゲートウェイ装置からＢＹＥが送信されて着信側のＩＰ電話ゲートウェイ装置１００が受信すると、着信者（電話機）に対してビジートーンを送出する。
【００３３】
図３のフロー図において、ステップＳ１０４で一次応答検出できずに、タイムアウトした場合、ステップＳ１０８へ移行して、４８０Ｔｅｍｐｏｒａｒｉｌｙ  Ｕｎａｖａｉｌａｂｌｅ、又は６０６Ｎｏｔ  Ａｃｃｅｐｔａｂｌｅを、ＣＡサーバー１１へ返信する。すなわち、ＣＡサーバー１１が次の回線へスライドさせるトリガとなる４８６Ｂｕｓｙを返すのではなく、回線スライドのトリガとはならないが「着信は受け付けられない旨」のレスポンスを送出する。このような用途に利用できるレスポンスであれば、４８０Ｔｅｍｐｏｒａｒｉｌｙ  Ｕｎａｖａｉｌａｂｌｅ、又は６０６Ｎｏｔ  Ａｃｃｅｐｔａｂｌｅ以外の信号を使用しても良い。
【００３４】
図６は、図３のフロー図において、ステップＳ１０４からステップＳ１０８へ移行することとなる場合のシーケンスを示している。ＩＰ電話ゲートウェイ装置１００が空き回線を使用して主装置（ＰＢＸ）経由で着信者（電話機）に呼出信号を送出し、ダイヤルイン信号（ＭＯＤＥＭ／ＰＢ信号等）を送出しているが、受信完了信号を受信できなかった場合が示されている。この場合、着信側のＩＰ電話ゲートウェイ装置１００は４８６Ｂｕｓｙ以外の特定信号として４８０Ｔｅｍｐｏｒａｒｉｌｙ  Ｕｎａｖａｉｌａｂｌｅ、又は６０６Ｎｏｔ  Ａｃｃｅｐｔａｂｌｅを送信している。ＣＡサーバー１１は、次の回線へスライドさせることなく４８０／６０６を発信側のＩＰ電話ゲートウェイ装置へ転送する。発信側のＩＰ電話ゲートウェイ装置は、着信者（電話機）が使用中であることを示すビジートーンを発信者（電話）へ通知する。この結果、発信者（電話）がオンフックすることにより着信側へＡＣＫが返されて１つのトランザクションが確立する。
【００３５】
これにより、ＣＡサーバー１１は着信者（電話機）が使用中であった場合、４８６Ｂｕｓｙではなくて、着信は受け付けられない旨のレスポンス（例えば４８０，６０６）を受け取るので、着信者（電話機）が使用中である場合には別の子回線へスライドされる不具合を防止することができる。
【００３６】
また、図３のフロー図において、ステップＳ１０２で全回線使用中であると判断した場合、ステップＳ１０９へ移行して、４８６Ｂｕｓｙを送出する。この時点では着信者（電話機）が使用中であるか否か判明できないので、次の回線へスライドして空き回線を探す必要がある。
【００３７】
図７は、図３のフロー図において、ステップＳ１０２からステップＳ１０９へ移行することとなる場合のシーケンスを示している。親回線のＩＰ電話ゲートウェイ装置（１００）が全回線使用中であった場合、４８６ＢｕｓｙをＣＡサーバー１１へ返している。このため、４８６Ｂｕｓｙを受信したＣＡサーバー１１は、次の回線である子回線１のＩＰ電話ゲートウェイ装置（１００）に対してＩＮＶＩＴＥを送り直している。図７に示す例では、子回線１のＩＰ電話ゲートウェイ装置（１００）でも４回線の全回線が使用中である。よって、４８６ＢｕｓｙをＣＡサーバー１１へ返している。４８６Ｂｕｓｙを受信したＣＡサーバー１１は、次の回線である子回線２のＩＰ電話ゲートウェイ装置（１００）に対してＩＮＶＩＴＥを送り直す。子回線２のＩＰ電話ゲートウェイ装置（１００）において初めて空き回線が存在したために、着信者（電話機）に対して呼出信号、ダイヤルイン信号（図７にでは省略）を送出し、着信者（電話機）が未使用であったために通話が開始されている。
【００３８】
このように、着信者（電話機）が使用中であることが判明するまでは、従来通りのスライドを実施するので、スライドによるメリットを活かしつつ、スライドのデメリットを回避することができる。
【産業上の利用可能性】
【００３９】
本発明は、着信先の電話機が使用中であった場合、それ以降はＣＡサーバーが次の回線へ切り替えるスライドを繰り返さないようにすることができ、ＩＰ電話ゲートウェイ装置に適用可能である。
【図面の簡単な説明】
【００４０】
【図１】一実施の形態に係るＩＰ電話ゲートウェイ装置の機能ブロック図
【図２】上記実施の形態に係るＩＰ電話ゲートウェイ装置のハードウエア構成図
【図３】上記実施の形態におけるダイヤルイン時の制御フロー図
【図４】上記実施の形態での発信から着信までの一般的な全体シーケンス図
【図５】ＳＩＰのＩＮＶＩＴＥ時の記述例を示す図
【図６】着信者が使用中であったために次回線へのスライドを禁止したシーケンス図
【図７】ＩＰ電話ゲートウェイ装置が全回線使用中であったために次回線へのスライドしたシーケンス図
【図８】ＩＰ電話ゲートウェイ装置とＣＡサーバーとの運用構成を示す図
【図９】ＩＰ電話ゲートウェイ装置が全回線使用中のために４８６Ｂｕｓｙを返すシーケンス図
【図１０】着信者が使用中であっても４８６Ｂｕｓｙを返すシーケンス図
【符号の説明】
【００４１】
１００  ＩＰ電話ゲートウェイ装置
１０１  電話制御部
１０２  ＰＳＴＮ回線制御部
１０３  ＩＰ／ＰＳＴＮ切替え部
１０４  ＬＡＮ側ネットワーク制御部
１０５  ＷＡＮ側ネットワーク制御部
１０６  ＶｏＩＰ制御部
１０７  サーバー部
１１０  ＣＰＵ／ＤＳＰ
１１１  ＲＯＭ
１１２  ＲＡＭ
１１３−１，１１３−２  回線Ｉ／Ｆ回路
【図１】
2005236916.tif 000003
【図２】
2005236916.tif 000004
【図３】
2005236916.tif 000005
【図４】
2005236916.tif 000006
【図５】
2005236916.tif 000007
【図６】
2005236916.tif 000008
【図７】
2005236916.tif 000009
【図８】
2005236916.tif 000010
【図９】
2005236916.tif 000011
【図１０】
2005236916.tif 000012